(57)【要約】【課題】より情報の多いコンテキスト内でユーザーの健康データを提示するための方法、装置およびコンピュータ・プログラム。【解決手段】方法に関しては、健康関連情報を提供する記事が識別され、記事の健康関連情報と結び付けられるユーザーの健康データが識別される。この方法は同様に、記事をユーザーの健康データにより補足するステップおよびユーザーの健康データにより補足された記事をユーザーに対して提供させるステップを含む。結果として得られる補足された記事は、健康データをコンテキストに当てはめ、ユーザーにより多くの情報を与える。【選択図】図６
2018060536.tif 000002
【特許請求の範囲】
【請求項１】
健康関連情報を提供する記事を識別するステップと、
前記記事の前記健康関連情報と結び付けられるユーザーの健康データを識別するステップと、
前記ユーザーの前記健康データにより前記記事を補足するステップと、
前記ユーザーの前記健康データが補足された前記記事を前記ユーザーに対して提供されるようにするステップと、
を含む方法。
【請求項２】
健康データを識別するステップは、前記記事のコンテキストを少なくとも部分的に定義する前記記事と結び付けられたデータに基づいて前記ユーザーの健康データを識別するステップを含む、請求項１に記載の方法。
【請求項３】
前記記事に結び付けられた前記データは、前記記事と結び付けられたメタデータを含む、請求項２に記載の方法。
【請求項４】
前記記事と結び付けられたデータに基づいて前記ユーザーの健康データを識別するステップは、前記記事のコンテキストを少なくとも部分的に定義する前記記事内のデータを識別するため前記記事を削り取るステップを含む、請求項２に記載の方法。
【請求項５】
健康データを識別するステップは、前記記事内に含まれる命令の実行に応答して前記ユーザーの前記健康データを識別するステップを含む、請求項１ないし４のいずれか１項に記載の方法。
【請求項６】
前記ユーザーが装着するデバイスから前記ユーザーの健康データを受信するステップと、
前記ユーザーの前記健康データを記憶させるステップと、
をさらに含む、請求項１ないし５のいずれか１項に記載の方法。
【請求項７】
前記記事の前記健康関連情報に結び付けられる経験的データにより前記記事を追加で補足するステップをさらに含む、請求項１ないし６のいずれか１項に記載の方法。
【請求項８】
前記ユーザーの前記健康データおよび経験的データにより前記記事を補足するステップは、前記ユーザーの前記健康データと前記記事内の前記経験的データの間の比較を提供するステップを含む、請求項７に記載の方法。
【請求項９】
前記記事から前記経験的データを得るステップをさらに含む、請求項７に記載の方法。
【請求項１０】
記事を識別するステップは、
前記ユーザーの健康問題を検出するために前記ユーザーの前記健康データを解析するステップと、
前記記事が前記健康問題と関係のある健康関連情報を提供するように、前記ユーザーの前記健康問題に基づいて前記記事を識別するステップと、
を含む、請求項１ないし９のいずれか１項に記載の方法。
【請求項１１】
前記ユーザーの前記健康データにより前記記事を補足するステップは、前記記事に結び付けられるいかなるコンテンツも削除することなく前記健康データが挿入されるスペースを前記記事の中に創出するステップを含む、請求項１ないし１０のいずれか１項に記載の方法。
【請求項１２】
少なくとも１つのプロセッサと、コンピュータ・プログラム・コードを含む少なくとも１つのメモリを含む装置において、前記少なくとも１つのメモリおよび前記コンピュータ・プログラム・コードは、前記プロセッサを用いて、前記装置に、少なくとも、
健康関連情報を提供する記事を識別させ、
前記記事の前記健康関連情報に結び付けられるユーザーの健康データを識別させ、
前記記事を前記ユーザーの前記健康データにより補足させ、
前記ユーザーの前記健康データが補足された前記記事を前記ユーザーに提供されるようにする、
ように構成されている、装置。
【請求項１３】
前記少なくとも１つのメモリおよび前記コンピュータ・プログラム・コードはさらに、請求項１ないし１１のいずれか１項に記載の方法を前記装置に行なわせるように構成されている、請求項１２に記載の装置。
【請求項１４】
内部に記憶されたコンピュータ実行可能プログラム・コード命令を有する少なくとも１つの非一時的コンピュータ可読記憶媒体を含むコンピュータ・プログラム・プロダクトにおいて、前記コンピュータ実行可能プログラム・コード命令は、少なくとも、
健康関連情報を提供する記事を識別し、
前記記事の前記健康関連情報に結び付けられるユーザーの健康データを識別し、
前記記事を前記ユーザーの前記健康データにより補足し、
前記ユーザーの前記健康データが補足された前記記事を前記ユーザーに対して提供されるようにする、
プログラム・コード命令を含む、コンピュータ・プログラム・プロダクト。
【請求項１５】
前記コンピュータ実行可能プログラム・コード命令はさらに、請求項１ないし１１のいずれか１項に記載の方法を行なうためのプログラム・コードを含む、請求項１４に記載のコンピュータ・プログラム・プロダクト。
【発明の詳細な説明】
【技術分野】
【０００１】
例示的実施形態は、概して健康関連情報の提供に関し、さらに詳細には、ユーザーの文脈的に関連性の高い健康データを用いた、健康関連情報を提供する記事の補足に関する。
【背景技術】
【０００２】
人々は、増え続ける量の健康関連情報を消費している。人々は、さまざまな理由で健康関連情報を消費することができる。単に健康関連の話題に関心のある人もいれば、自らの健康を改善する目的で自分の挙動を通知しようとして健康関連情報を消費する人もいる。他の人々は、教育、販促または他の目的でヘルスケア・プロバイダ、薬剤師などにより奨励される健康関連情報を消費する場合がある。
【０００３】
人々は、健康関連情報を提供する多くの記事を読むことができるものの、記事により伝達される健康関連情報と自らの健康状態との関係を評価するために四苦八苦する可能性がある。例えば、記事は、所望される範囲のさまざまな健康関連パラメータに関する情報を提供する可能性があるものの、読者は自身に対応する健康関連パラメータについての知識を持たず、したがって自らの健康状態についてのコンテキストにその健康関連情報を当てはめることができない場合がある。
【０００４】
いくつかの事例において、人々は、自らの健康状態に関する健康データにアクセスしこの健康データを精査することができる。例えば、人々は、自らの血糖読取り値または経時的に収集された他の類似の健康関連パラメータを精査することができる。この健康データは、人の健康状態に関する情報を提供するものの、その人は、自分自身の健康データをコンテキストに当てはめるために、他の人の対応する健康データと自身の健康データを容易に比較できない可能性がある。
【０００５】
こうして、健康関連情報の消費は増大しつつあるものの、人々は、自身の健康データをより一般的な健康関連情報のコンテキストに容易に当てはめることができない可能性がある。したがって、人々は、所望するだけの充分な量の情報を、自らが消費する健康関連情報によって提供されていない場合がある。
【発明の概要】
【発明が解決しようとする課題】
【０００６】
ユーザーの健康データのための増大したコンテキストを提供するための方法、装置およびコンピュータ・プログラム・プロダクトが、一例示的実施形態にしたがって提供される。この点に関して、例示的実施形態の方法、装置およびコンピュータ・プログラム・プロダクトは、結果として得られる補足された記事がコンテキストに健康データを当てはめユーザーにより多くの情報を提供するように、ユーザーの文脈的に関連性の高い健康データにより記事を補足するように構成されることができる。こうして、例示的実施形態の方法、装置およびコンピュータ・プログラム・プロダクトは、記事により提供される健康関連情報に照らして文脈的に関連性の高い健康データの効率的で時宜を得た識別、および次に文脈的に関連性の高い健康データによりこの記事を補足することに関係する技術的問題に対処するものである。
【課題を解決するための手段】
【０００７】
一例示的実施形態においては、健康関連情報を提供する記事を識別するステップと、記事の健康関連情報と結び付けられるユーザーの健康データを識別するステップとを含む方法が提供されている。この方法は同様に、ユーザーの健康データにより記事を補足するステップと、ユーザーの健康データが補足された記事をユーザーに対して提供させるステップをも含む。
【０００８】
一例示的実施形態の方法は、記事のコンテキストを少なくとも部分的に定義する記事と結び付けられたデータに基づいてユーザーの健康データを識別することによって、健康データを識別する。例えば、記事に結び付けられたデータは、記事と結び付けられたメタデータを含むことができる。付加的にあるいは代替的に、該方法は、記事のコンテキストを少なくとも部分的に定義する記事内のデータを識別するため記事を削り取る（ｓｃｒａｐｉｎｇ）ことによって、記事と結び付けられたデータに基づいてユーザーの健康データを識別することができる。
【０００９】
一例示的実施形態の方法は、記事内に含まれる命令の実行に応答してユーザーの健康データを識別することによって健康データを識別する。一例示的実施形態の方法は同様に、ユーザーが装着するデバイスからユーザーの健康データを受信するステップと、ユーザーの健康データを記憶させるステップも含んでいる。一例示的実施形態の方法は同様に、記事の健康関連情報に結び付けられる経験的データにより記事を追加で補足するステップも含んでいる。この点に関して、ユーザーの健康データおよび経験的データによる記事の補足は、ユーザーの健康データと記事内の経験的データの間の比較を提供するステップを含むことができる。一例示的実施形態において、該方法は、記事から経験的データを得るステップも含む。一例示的実施形態の方法は、ユーザーの健康問題を検出するためにユーザーの健康データを解析すること、および記事が健康問題と関係のある健康関連情報を提供するように、ユーザーの健康問題に基づいて記事を識別することによって、記事を識別する。一例示的実施形態の方法は同様に、記事に結び付けられるいかなるコンテンツも削除することなく健康データが挿入されるスペースを記事の中に創出することによって、ユーザーの健康データにより記事を捕捉するステップをも含んでいる。
【００１０】
別の例示的実施形態においては、少なくとも１つのプロセッサと、コンピュータ・プログラム・コードを含む少なくとも１つのメモリを含む装置において、少なくとも１つのメモリおよびコンピュータ・コードは、プロセッサを用いて、装置に、少なくとも、健康関連情報を提供する記事を識別させる装置が提供されている。少なくとも１つのメモリおよびコンピュータ・プログラム・コードは同様に、プロセッサを用いて装置に、記事の健康関連情報に結び付けられるユーザーの健康データを識別させ、記事をユーザーの健康データにより補足させるようにも構成されている。少なくとも１つのメモリおよびコンピュータ・プログラム・コードはさらに、プロセッサを用いて装置に、ユーザーの健康データが補足された記事をユーザーに提供させるように構成されている。
【００１１】
少なくとも１つのメモリおよびコンピュータ・プログラム・コードは、プロセッサを用いて、一例示的実施形態の装置に、記事のコンテキストを少なくとも部分的に定義する記事と結び付けられたデータに基づいてユーザーの健康データを識別することにより健康データを識別させるように構成されている。例えば、記事に結び付けられたデータは、記事と結び付けられたメタデータを含むことができる。一例示的実施形態において、少なくとも１つのメモリおよびコンピュータ・プログラム・コードは、プロセッサを用いて、装置に、記事のコンテキストを少なくとも部分的に定義する記事内のデータを識別するため記事を削り取ることによって記事と結び付けられたデータに基づいてユーザーの健康データを識別させるように構成されている。
【００１２】
少なくとも１つのメモリおよびコンピュータ・プログラム・コードは、プロセッサを用いて、一例示的実施形態の装置に、記事内に含まれる命令の実行に応答してユーザーの健康データを識別することによって健康データを識別させるように構成されている。少なくとも１つのメモリおよびコンピュータ・プログラム・コードは、プロセッサを用いて、一例示的実施形態の装置に、ユーザーが装着するデバイスからユーザーの健康データを受信し、ユーザーの健康データを記憶させるように構成されている。少なくとも１つのメモリおよびコンピュータ・プログラム・コードは、プロセッサを用いて、一例示的実施形態の装置に、記事の健康関連情報に結び付けられる経験的データにより記事を追加で補足させるように構成されている。例えば、ユーザーの健康データによる記事の補足は、ユーザーの健康データと記事内の経験的データとの間の比較の提供を含むことができる。この点に関して、一例示的実施形態において、記事から経験的データを得ることができる。少なくとも１つのメモリおよびコンピュータ・プログラム・コードは、プロセッサを用いて、一例示的実施形態の装置に、ユーザーの健康問題を検出するためにユーザーの健康データを解析すること、および記事が健康問題と関係のある健康関連情報を提供するように、ユーザーの健康問題に基づいて記事を識別することによって、記事を識別させるように構成されている。少なくとも１つのメモリおよびコンピュータ・プログラム・コードは、プロセッサを用いて、一例示的実施形態の装置に、記事に結び付けられるいかなるコンテンツも削除することなく健康データが挿入されるスペースを記事の中に創出することによってユーザーの健康データにより記事を補足させるように構成されている。
【００１３】
さらなる例示的実施形態においては、内部に記憶されたコンピュータ実行可能プログラム・コード命令を有する少なくとも１つの非一時的コンピュータ可読記憶媒体を含むコンピュータ・プログラム・プロダクトにおいて、コンピュータ実行可能プログラム・コード命令が、少なくとも、健康関連情報を提供する記事を識別するためのプログラム・コード命令を含むコンピュータ・プログラム・プロダクトが提供されている。コンピュータ実行可能プログラム・コード命令は同様に、記事の健康関連情報に結び付けられるユーザーの健康データを識別し、記事をユーザーの健康データにより補足するためのプログラム・コード命令も含んでいる。コンピュータ実行可能プログラム・コード命令はさらに、ユーザーの健康データが補足された記事をユーザーに対して提供させるためのプログラム・コード命令を含む。
【００１４】
一例示的実施形態において、健康データを識別するためのプログラム・コード命令は、記事のコンテキストを少なくとも部分的に定義する記事と結び付けられたデータに基づいてユーザーの健康データを識別するためのプログラム・コード命令を含む。例えば、記事と結び付けられたデータは、記事と結び付けられたメタデータを含むことができる。一例示的実施形態において、記事と結び付けられたデータに基づいてユーザーの健康データを識別するためのプログラム・コード命令は、記事のコンテキストを少なくとも部分的に定義する記事内のデータを識別するため記事を削り取るためのプログラム・コード命令を含むことができる。健康データを識別するためのプログラム・コード命令は、記事内に含まれる命令の実行に応答してユーザーの健康データを識別するためのプログラム・コード命令を含むことができる。
【００１５】
一例示的実施形態のコンピュータ実行可能プログラム・コード命令は同様に、ユーザーが装着するデバイスからユーザーの健康データを受信するためのプログラム・コード命令およびユーザーの健康データを記憶させるためのプログラム・コード命令をも含んでいる。一例示的実施形態のコンピュータ実行可能プログラム・コード命令は、同様に、記事の健康関連情報に結び付けられた経験的データにより記事を追加で補足するためのプログラム・コード命令をも含んでいる。ユーザーの健康データおよび経験的データにより記事を補足するためのプログラム・コード命令は、ユーザーの健康データと記事内の経験的データの間の比較を提供するためのプログラム・コード命令を含むことができる。この例示的実施形態において、コンピュータ実行可能プログラム・コード命令は同様に、記事から経験的データを得るためのプログラム・コード命令をも含んでいる。記事を識別するためのプログラム・コード命令は、ユーザーの健康問題を検出するためにユーザーの健康データを解析するためのプログラム・コード命令および記事が健康問題と関係のある健康関連情報を提供するようにユーザーの健康問題に基づいて記事を識別するためのプログラム・コード命令を含むことができる。ユーザーの健康データにより記事を補足するためのプログラム・コード命令は、記事に結び付けられるいかなるコンテンツも削除することなく健康データが挿入されるスペースを記事の中に創出するためのプログラム・コード命令を含むことができる。
【００１６】
さらに別の例示的実施形態においては、健康関連情報を提供する記事を識別するための手段と、記事の前記健康関連情報と結び付けられるユーザーの健康データを識別するための手段を含む装置が提供されている。この例示的実施形態の装置は同様に、ユーザーの健康データにより記事を補足するための手段および、ユーザーの健康データが補足された記事をユーザーに対して提供させるための手段をも含む。
【００１７】
このように本開示のいくつかの例示的実施形態を一般的に説明してきたが、以下では、必ずしも原寸に比例して描かれていない添付図面の参照が指示される。
【図面の簡単な説明】
【００１８】
【図１】ユーザーの健康データが補足され、本イノベーションの例示的実施形態に係る、ディスプレイ上に提示されることのできる記事を表わす。
【図２】ユーザーの健康データが補足され、本イノベーションの別の例示的実施形態に係るディスプレイ上に提示されることのできる別の記事を表わす。
【図３】本イノベーションの例示的実施形態に係るユーザーの健康データによる記事の補足をサポートすることのできるシステムのブロック図である。
【図４】本イノベーションの例示的実施形態に係るユーザーの健康データによる記事の補足をサポートすることのできるシステムの略図である。
【図５】本発明の例示的実施形態にしたがって特定的に構成されることのできる装置のブロック図である。
【図６】ユーザーの健康データにより記事を補足するために本イノベーションの例示的実施形態にしたがって図５の装置などにより行なうことのできる動作を例示する流れ図である。
【図７】本イノベーションの例示的実施形態に係る記事と共に提示するためにユーザーの健康データおよび／または経験的データが識別されなければならないことを標示するタグの形をした標示を例示する記事を表わす。
【発明を実施するための形態】
【００１９】
以下では、本イノベーションの全てではないもののいくつかの実施形態を示す添付図面を参照しながら、いくつかの実施形態についてより詳細に説明する。実際、本イノベーションのさまざまな実施形態は、多くの異なる形態で実施可能であり、本明細書中に記載の実施形態に限定されるものとみなされるべきではない。むしろ、これらの実施形態は、本開示が適用可能な法的要件を満たすように提供されるものである。同様の参照番号が全体を通し、同様の要素を意味している。本明細書中で使用される「データ」、「コンテンツ」、「情報」およびそれらに類する用語は、本イノベーションの実施形態にしたがって伝送、受信および／または記憶されることが可能なデータを意味するために互換的に使用することができる。したがって、任意のこのような用語の使用は、本イノベーションの実施形態の精神および範囲を限定するものと捉えられるべきではない。
【００２０】
さらに、本明細書中に使用されている「回路」なる用語は、（ａ）ハードウェア専用回路実装（例えば、アナログ回路および／またはデジタル回路内の実装）、（ｂ）本明細書中に記載の１つ以上の機能を装置に行なわせるために協働する１つ以上のコンピュータ可読メモリ上に記憶されたソフトウェアおよび／またはファームウェアを含むコンピュータ・プログラム・プロダクトと回路との組合せ、および（ｃ）例えば、ソフトウェアまたはファームウェアが物理的に存在しない場合でさえ動作のためにソフトウェアまたはファームウェアを必要とする、マイクロプロセッサまたはその一部分などの回路を意味する。この回路の定義は、いずれかのクレーム内を含めた本明細書中における、この用語の全ての使用に適用される。さらなる例として、本明細書中で使用される「回路」なる用語は、同様に、１つ以上のプロセッサ、および／または、その一部分および随伴するソフトウェアおよび／またはファームウェアを含む実装をも含んでいる。別の例として、本明細書中で使用される「回路」なる用語は、同様に、例えば、モバイルフォン用のベースバンド集積回路またはアプリケーション・プロセッサ集積回路またはサーバー、セルラー・ネットワーク・デバイス、他のネットワーク・デバイスおよび／または他の計算デバイス内の類似の集積回路をも含んでいる。
【００２１】
本明細書中で定義されているように、非一時的物理的記憶媒体（例えば、揮発性または不揮発性メモリ・デバイス）を意味する「コンピュータ可読記憶媒体」は、電磁信号を意味する「コンピュータ可読伝送媒体」と区別され得る。
【００２２】
一例示的実施形態にしたがって、ユーザーに対して文脈的に関連性の高い健康関連情報を提供するための方法、装置およびコンピュータ・プログラム・プロダクトが提供されている。この点に関して、一例示的実施形態の方法、装置およびコンピュータ・プログラム・プロダクトは、ユーザーの健康問題に関係のある健康関連情報を提供する記事など、健康関連情報を提供する記事を識別することができ、ユーザーの健康データにより記事を補足し、これによりその記事により提供される健康関連情報に関係するコンテキストにユーザーの健康データを当てはめることができる。本開示は、特定のユーザーのバイオメトリック健康データを考慮して、文脈的に関連性の高いデータを増大させる技術的効果を提供することができる。より具体的には、個人的健康データを収集するように構成されたデバイスは、収集されたデータが、文脈的に関連性の高い媒体中で提示される場合、より有用なものとなることができる。
【００２３】
一例として、図１は、健康関連情報を提供する記事１０を描いている。この例において、記事は「ミレニアル世代は、十分な睡眠をとっていない」と題され、こうして、平均して推奨される一日の量より少ない睡眠しか取っていないミレニアル世代の睡眠調査の結果を提供している。以下で説明するように、この記事１０は、慢性疲労、不眠症または望まれるものより少ない睡眠のより一般的なパターンなどのユーザーの健康問題の結果として選択された可能性がある。一例示的実施形態によると、記事１０は、例えば、ユーザーの夜間睡眠の平均長さの標示を提供できるユーザーの健康データ１２で補足される。その結果として、ユーザーは自身の睡眠パターンに関するコンテキスト内で記事１０が提供する健康関連情報を見ることができる。さらに、記事１０は、いくつかの実施形態において、ユーザーの健康データ１２に対し追加のコンテキストを提供するため、ユーザーが夜間に取る平均的睡眠量と比較した場合などの、ミレニアル世代の平均夜間睡眠量に関する健康データを提供することなどによって、記事の健康関連情報と結び付けられた経験的データ１４で補足されることもできる。こうして、記事１０は、健康関連情報に関する教育上の目的に役立つだけでなく、記事により提供される健康関連情報のコンテキスト内でおよびいくつかの実施形態においては経験的データ１４により提供されるさらなるコンテキスト内でユーザーが自身の健康データに関する結論を引き出すことも促す。こうして、ユーザーは、より多くの情報を得ることができ、ひとたびユーザーが記事１０によって提供された健康関連情報のコンテキストの中で、そしていくつかの実施形態においては経験的データ１４とのさらなる比較の中で自身の健康データを考慮した時点で、自らのライフスタイルに変化を加えるかまたはユーザーの健康データ１２が関係する健康問題に対し他の形で対処するかを選択することができる。
【００２４】
健康関連情報を提供する記事１０の別の例が、図２に描かれている。この記事１０は「一日を通した血糖値のモニタリング」と題され、血糖値のモニタリングが重要である糖尿病または別の病状を患うユーザーの結果として選択された可能性がある。一例示的実施形態によると、記事１０は、例えば、異なる時点でのユーザーの平均血糖値の標示を提供することができるユーザーの健康データ１２で補足される。結果として、ユーザーは、自身の血糖値読取り値に関係するコンテキストに、記事１０により提供された健康関連情報を当てはめることができる。図１の記事１０とは異なり、ユーザーの健康データ１２は、グラフ形態で経験的データと比較されていないが、それでも、記事により提供される健康関連情報のコンテキスト内で提示されている。
【００２５】
図３に示される例示的実施形態においては、健康関連情報を提供する記事１０を識別し、ユーザーの健康データ１２で記事を補足するために、装置３０が提供されている。装置２０は、例えば、移動体端末、例えば、携帯端末機（ＰＤＡ）、移動体電話、スマートホン、ポケットベル、移動体テレビ、ゲーム・デバイス、ラップトップ・コンピュータ、カメラ、タブレット・コンピュータ、タッチ・サーフェス、ビデオ・レコーダ、ラジオ、電子書籍、または上述のものの組合せ、および他のタイプの音声およびテキスト通信システムを含めたさまざまな異なる計算デバイスによって具体化されるかまたは他の形でこれらのデバイスと結び付けられることができる。代替的には、計算デバイスは、パーソナル・コンピュータ、コンピュータ・ワークステーション、サーバーなどの固定型計算デバイスであることもできる。装置２０は単一の計算デバイスによって具体化されることができるものの、いくつかの例示的実施形態装置は、装置のいくつかのコンポーネントが異なる計算デバイスによって具体化されている状態で、分散した形で具体化されることができる。
【００２６】
装置２０は、データベース２２を含むか、あるいは図３の実施形態に示されているようにデータベース２２と通信状態にあることができる。データベース２２は、ユーザーの健康データ１２、およびいくつかの実施形態においては経験的データ１４を記憶することができる。この点に関して、経験的データ１４は、ユーザーを含む場合も含まない場合もあるより大きな母集団の健康データなどの、他の人々からの健康データを含んでいる。いくつかの事例においては、データベース２２は、同様に、健康関連情報を提供する記事１０を含むこともできる。装置２０がデータベース２２と通信状態にある例示的実施形態において、データベースは、クラウド・ベースのデータベース、サーバー、政府データベース、ピア・レビュー・データベース、プライベート・データベース、例えば、保険会社またはヘルスケア・プロバイダなどの保健機関により維持されているものなどのさまざまな形で構成されることができる。
【００２７】
以上で指摘されているように、ユーザーの健康データ１２は、データベース２２により記憶されることができる。代替的には装置２０は、他の方法でユーザーの健康データ１２にアクセスすることができる。例えば、ユーザーは、１つ以上の健康データ収集デバイス２４を装着、携行または他の形で利用することができる。健康データ収集デバイス２４は、ユーザーの健康データ１２を収集し、健康データを装置２０に対して、図３の実施形態の中で示されているように直接的にかまたは、装置が後日アクセスするために例えば、データベース２２内にまたは別のメモリ・デバイス内に健康データを当初記憶しておくことによって間接的に、提供する。ユーザーの健康問題に応じてまたはユーザーおよび／またはユーザーのヘルスケア・プロバイダが関心を持っている健康問題に応じて、さまざまな異なる健康データ収集デバイス２４を利用することができる。例えば、健康データ収集デバイス２４は、異なる時点におけるユーザーの血中グルコース値を表わす健康データを提供するための血中グルコース・モニターを含むことができる。付加的にまたは代替的に、健康データ収集デバイス２４は、さまざまな時間帯の間のユーザーの心拍数および／または心拍数可変性を監視するための心臓モニターであることができる。別の例として、健康データ収集デバイス２４は、１つ以上の時点におけるユーザーの血圧を表わす健康データを提供するための血圧計カフであることができる。いくつかの例において、健康データ収集デバイス２４は、心拍数、呼吸数、グルコース測定値、眼球運動、睡眠関連データなどのバイオメトリック情報を集めるように構成されたウエアラブル計算デバイスであることができる。以上の例は、複数のタイプの健康データ収集デバイス２４を例示し、この健康データ収集デバイスが、本明細書中に説明されている解析を目的として体温、運動、心拍数、呼吸数、コルチゾール値などのユーザーの健康データ１２を収集するように構成された多様なデバイスのいずれかであることができるということを証明するように意図されている。
【００２８】
別の例として、図４は、ユーザーが健康データ収集デバイス２４を装着している実施形態を描いている。図４では、健康データ収集デバイス２４は腕時計として示されているが、健康データ収集デバイスは、例えば、ユーザーの健康データ１２を収集し健康データを装置２０、データベース２２などに提供するように構成された他のウェアラブル・デバイスとして異なる形で具体化されることができる。健康データ収集デバイス２４は、少なくとも一時的に、ユーザーの健康データ１２をローカルに記憶することができる。図４の実施形態において、健康データ収集デバイス２４は、ユーザー・データをクラウド・ベースのデータベース２３に対し提供するように構成されている。付加的にまたは代替的には（図４に破線で示されているように）、健康データ収集デバイス２４は、例えば、ローカル・エリア・ネットワークまたは他の近接性ベースの通信技術を介して、ユーザーの携帯情報端末（ＰＤＡ）、移動体電話、スマートホン、ラップトップ・コンピュータ、タブレット・コンピュータなどの移動体端末２５に対してユーザーの健康データ１２を提供するように構成されることができる。移動体端末２５は、ユーザー・データをローカルに記憶し、図４の実施形態におけるクラウド・ベースのデータベースなどのデータベースに対してユーザー・データ（またはその表現または要旨）を提供するように構成されることができる。図４の実施形態のクラウド・ベースのデータベース２３は、同様に、記事リポジトリ２２ａ由来の記事１０および／または経験的データ・リポジトリ２２ｂ由来の経験的データ１４などの他のタイプの情報も受信することができる。クラウド・ベースのデータベース２３は、それ自体、ユーザーに対する提示のため、装置２０に対して、記事１０およびユーザーの関連健康データ１２（および任意には関連経験的データ１４）を提供することができる。図４の実施形態は記事１０、ユーザーの健康データ１２および経験的データ１４のクラウド・ベースのデータベース２３による収集ならびにその後の装置２０に対する提供を描いているが、その代りに、記事、ユーザーの健康データおよび経験的データのいくつかはまたは全てを、クラウド・ベースのデータベースによる収集無く装置に対し直接提供することも可能である。
【００２９】
以上で指摘したように、装置２０は、多様な異なるタイプの計算デバイスのいずれかにより具体化されることができる。計算デバイスのタイプの如何に関わらず、図５に示される例示的実施形態の装置２０は、プロセッサ３０、メモリ・デバイス３２およびユーザー・インターフェース３４および任意には通信インターフェース３６を含むかまたは他の形でこれらと通信状態になるように構成されている。いくつかの実施形態において、プロセッサ３０（および／またはコ・プロセッサまたはプロセッサを補助するかまたは他の形でプロセッサと結び付けられている任意の他のプロセッシング回路）は、装置２０のコンポーネントの間で情報を渡すためにバスを介してメモリ・デバイス３２と通信状態にあることができる。メモリ・デバイス３２は、非一時的であることができ、例えば、１つ以上の揮発性および／または非揮発性メモリを含むことができる。換言すると、例えば、メモリ・デバイス３２は、マシン（例えば、プロセッサなどの計算デバイスによって読出し可能であり得るデータ（例えば、ビット）を記憶するように構成されたゲートを含む電子記憶デバイス（例えば、コンピュータ可読記憶媒体）であることができる。メモリ・デバイス３２は、本イノベーションの例示的実施形態にしたがって、装置２０がさまざまな機能を実施できるようにするための情報、データ、コンテンツ、アプリケーション、命令などを記憶するように構成されることができる。例えば、メモリ・デバイス３２は、プロセッサ３０による処理のために入力データをバッファリングするように構成され得ると思われる。付加的にまたは代替的に、メモリ・デバイス３２は、プロセッサ３０による実行のための命令を記憶するように構成され得ると思われる。
【００３０】
上述したように、装置２０をコンピュータ・デバイスにより具体化することができる。しかしながら、いくつかの実施形態においては、装置２０をチップまたはチップ・セットとして具体化することができる。換言すると、装置２０は、構造アセンブリ（例えば、ベース・ボード）上の材料、コンポーネントおよび／またはワイヤを含めた１つ以上の物理パッケージ（例えば、チップ）を備えることができる。構造アセンブリは、上に含まれるコンポーネント回路のために物理的強度、サイズ保存および／または電気的相互作用の制限を提供することができる。したがって、装置２０は、いくつかのケースにおいて、単一のチップ上でまたは単一の「システム・オン・チップ」として本イノベーションの一実施形態を実装するように構成されることができる。したがって、いくつかのケースにおいて、チップまたはチップ・セットは、本明細書中に記載の機能性を提供する目的で１つ以上の動作を行なうための手段を構成することができる。
【００３１】
プロセッサ３０は、多くの異なる方法で具体化されることができる。例えば、プロセッサ３０を、さまざまなハードウェア・プロセッシング手段、例えば、コ・プロセッサ、マイクロプロセッサ、コントローラ、デジタル信号プロセッサ（ＤＳＰ）、随伴するＤＳＰを伴うかまたは伴わないプロセッシング要素、または例えば、ＡＳＩＣ（特定用途向け集積回路）、ＦＰＧＡ（フィールド・プログラマブル・ゲート・アレイ）、マイクロコントローラ・ユニット（ＭＣＵ）、ハードウェア・アクセラレータ、専用コンピュータ・チップなどの集積回路を含むさまざまな他のプロセッシング回路のうちの１つ以上として実装することができる。したがって、いくつかの実施形態において、プロセッサ３０は、独立して実行するように構成された１つ以上のプロセッシング・コアを含むことができる。マルチ・コア・プロセッサ３０は、単一の物理パッケージ内でのマルチプロセシングを可能にすることができる。付加的にまたは代替的には、プロセッサ３０は、命令、パイプライニングおよび／またはマルチスレッディングの独立した実行を可能にするようにバスを介してタンデムに構成された１つ以上のプロセッサを含むことができる。
【００３２】
一例示的実施形態においては、プロセッサ３０を、メモリ・デバイス３２内に記憶されたまたは他の形でプロセッサがアクセス可能である命令を実行するように構成することができる。代替的または付加的には、プロセッサ３０を、ハード・コードされた機能性を実行するように構成することができる。したがって、ハードウェアまたはソフトウェア方法によって構成されているかまたはそれらの組合せにより構成されているかに関わらず、プロセッサ３０は、相応して構成されながら、本イノベーションの一実施形態に係る動作を行なう能力を有するエンティティ（例えば、回路の形で物理的に具体化されたもの）を表わすことができる。こうして、例えば、プロセッサ３０がＡＳＩＣ、ＦＰＧＡなどとして具体化される場合、このプロセッサは、本明細書中に記載の動作を行なうために特定的に構成されたハードウェアであることができる。代替的には、別の実施例として、プロセッサ３０がソフトウェア命令を実行するものとして具体化されている場合には、命令は、命令が実行された時点で本明細書中に記載のアルゴリズムおよび／または動作を行なうようにプロセッサを特定的に構成することができる。しかしながら、いくつかのケースにおいて、プロセッサ３０は、本明細書中に記載のアルゴリズムおよび／または動作を行なうための命令によるプロセッサのさらなる構成によって、本イノベーションの一実施形態を利用するように構成された特定のデバイス（例えば、電子書籍または移動体端末）のプロセッサであることができる。プロセッサ３０は、なかでも、クロック、算術論理演算ユニット（ＡＬＵ）およびプロセッサの動作をサポートするように構成された論理ゲートを含むことができる。
【００３３】
いくつかの実施形態において、装置２０は、それ自体ユーザーに対して出力を提供しユーザー入力の標示を受信するためにプロセッサ３０と通信状態にあることのできるユーザー・インターフェース３４を含むことができる。したがって、ユーザー・インターフェースは、ディスプレイを含むことができ、いくつかの実施形態においては、キーボード、マウス、ジョイスティック、タッチ・スクリーン、タッチ・エリア、ソフト・キー、マイクロホン、スピーカー、または他の入出力メカニズムを含むこともできる。代替的または付加的には、プロセッサ３０は、ディスプレイおよびいくつかの実施形態ではスピーカー、リンガー、マイクロホンなどの１つ以上のユーザー・インターフェース要素の少なくともいくつかの機能を制御するように構成されたユーザー・インターフェース回路を備えることができる。プロセッサ３０および／またはプロセッサを含むユーザー・インターフェース回路は、プロセッサがアクセスできるメモリ（例えば、メモリ・デバイス３２など）の上に記憶されたコンピュータ・プログラム命令（例えば、ソフトウェアおよび／またはファームウェア）を通して１つ以上のユーザー・インターフェース要素の１つ以上の機能を制御するように構成されることができる。
【００３４】
装置２０は、任意選択的に、データベース２２または１つ以上の健康データ収集デバイス２４との通信などのための通信インターフェース３６を含むこともできる。通信インターフェース３６は、ネットワークおよび／または装置２０と通信状態にある任意の他のデバイスまたはモジュールからまたはそれらに向けて、データを受信および／または伝送するように構成されているハードウェアまたはハードウェアとソフトウェアの組合せのいずれかの形で具体化されるデバイスまたは回路などの任意の手段であることができる。この点において、通信インターフェース３６は、例えば、無線通信ネットワークとの通信を可能にするためのアンテナ（または多重アンテナ）およびサポート用ハードウェアおよび／またはソフトウェアを含むことができる。付加的または代替的には、通信インターフェース３６は、アンテナを介して信号を伝送させるかまたはアンテナを介して受信した信号の受信をハンドリングするためにアンテナとインタラクトするための回路を含むことができる。いくつかの環境においては、通信インターフェース３６は代替的にまたは同様に有線通信もサポートすることができる。したがって、例えば、通信インターフェース３６は、ケーブル、デジタル・サブスクライバ・ライン（ＤＳＬ）、ユニバーサル・シリアル・バス（ＵＳＢ）または他のメカニズムを介して通信をサポートするための通信モデムおよび／または他のハードウェア／ソフトウェアを含むことができる。
【００３５】
ここで図６を参照すると、一例示的実施形態の装置２０などによって行なわれる動作が描かれている。装置２０は、健康関連情報を提供する記事１０を識別するためのプロセッサ３０などの手段を含む。記事１０の識別に関して、図６のブロック４０を参照のこと。健康関連情報は、直接的または間接的に人の健康に影響を及ぼす多様な情報のいずれかを含むことができる。さらに記事１０は、テキスト情報、図形情報などの異なるタイプのさまざまなコンテンツのいずれでも含むことができる。記事１０は、例えば、記事が検索可能および読出し可能であるデータベース内に記憶されていることなどによって、電子的に入手可能であることができる。例えば、記事１０は、通信インターフェース３６などを介して装置２０が通信できる図６の実施形態の記事リポジトリ２２ａなどのデータベース２２により記憶することができる。代替的には、記事１０はオンラインで入手可能であることができ、装置２０により識別可能および通信インターフェース３６を介してアクセス可能であることができる。さらに、記事１０は、いくつかの例示的実施形態においてメモリ３２などによりローカルに記憶されることができる。記事１０は、ユーザーに文脈的に関連性の高く、ユーザーの健康データ１２をその中で提示できる音響、映像、仮想現実環境を含めた任意の形態の媒体を含むことができる。
【００３６】
一例示的実施形態において、記事１０は、ユーザーの健康問題に関係があるかまたはユーザー、ユーザーのヘルスケア・プロバイダ、ユーザーに結び付けられる保険会社などが関心をもっている健康関連情報を提供するために識別される。この例示的実施形態において、装置２０は、ユーザーの健康問題を検出する目的でユーザーの健康データ１２を解析するためのプロセッサ３０などの手段を含む。この点に関して、プロセッサ３０などの装置２０のコンポーネントは、健康データ収集デバイス２４によって収集された健康データを解析し、対応するタイプの健康データについての既定の閾値とユーザーに関して収集された健康データ１２との比較などに基づいて潜在的な健康問題を識別するように構成されることができる。付加的または代替的には、ユーザーの健康問題を検出するために解析される健康データは、ユーザー、ユーザーのヘルスケア・プロバイダ、ユーザーに結び付けられる保険会社などによって提供される、ユーザーのまたはユーザーが関心を有する１つ以上の健康問題を特に識別する情報を含むことができる。ユーザーの健康データ１２に基づいて広範囲の健康問題を検出することができるものの、健康問題の例としては、糖尿病、不眠症、運動不足などが含まれる。
【００３７】
この例示的実施形態の装置２０は、記事が健康問題に関係のある健康関連情報を提供するようにユーザーの健康問題に基づいて記事１０を識別するためのプロセッサ３０などの手段をも含む。こうして、ユーザーの健康問題がひとたび識別された時点で、プロセッサ３０などの装置２０は、特定の健康問題に関係のある１つ以上の記事１０を識別するために利用可能な記事を精査することができる。プロセッサ３０などの装置２０は、記事を精査するように、および同じ健康問題に関連する記事を識別する目的でユーザーに関係のある健康問題に記事を関連づけている主題を識別する、例えば、メタデータにより維持されているかまたは他の形で記事のヘッダー内または記事自体の中に埋込まれている可能性のある、記事に結び付けられたキーワードを比較することなどによって、さまざまな方法で関係のある記事１０を識別するように、構成されることができる。代替的には、プロセッサ３０などの装置２０は、記事のコンテキストを識別するために、記事のテキスト検索を行なうことまたは記事を削り取ることなどによって記事のコンテンツを精査することができ、その後、記事１０がユーザーに関係のある健康問題に関連するものであるか否かを決定するために、記事のコンテンツとユーザーの健康問題とを比較することができる。上述の解析は、解析を行なうプロセッサ３０などの装置２０のコンポーネントに関係するものの、遠隔の計算デバイスにおいて複数の解析方法の任意の組合せを行ない、装置２０に伝達することもできる。
【００３８】
この例示的実施形態の装置２０は、同様に、記事１０の健康関連情報と結び付けられるユーザーの健康データ１２を識別するための、プロセッサ３０などの手段をも含む。図６のブロック４２を参照のこと。第１の事例においてユーザーの健康問題に関連づけされるように記事１０が識別された上述の実施形態などの実施形態においては、この例示的実施形態のプロセッサ３０などの装置２０は、記事が識別されたコンテキストを提供した健康問題に関連するユーザーの健康データを識別することによって、記事の健康関連情報と結び付けられるユーザーの健康データ１２を識別することができる。
【００３９】
しかしながら、別の実施形態においては、プロセッサ３０などの装置２０は、記事のコンテキストを少なくとも部分的に定義する記事１０と結び付けられたデータに基づいてユーザーの健康データ１２を識別することによって健康データを識別するように構成される。例えば、記事１０と結び付けられたデータは、例えば、記事が関係する１つ以上の主題を識別することなどによって、記事のコンテキストを定義する記事と結び付けられたメタデータを含むことができる。代替的には、記事のコンテキストを定義する記事１０と結び付けられたデータは、記事のテキスト検索などの記事の精査によって識別されることができる。一例示的実施形態において、この例示的実施形態の装置２０は、記事のコンテキストを少なくとも部分的に定義する記事内のデータを識別するために記事１０を削り取るための、プロセッサ３０などの手段を含む。記事と結び付けられたデータにより定義される記事１０のコンテキストに基づいて、プロセッサ３０などの装置２０は、記事のコンテキストに関連するかまたは他の形で関係のあるユーザーの健康データ１２を識別するように構成されることができる。例えば、記事１０は、図１に例示されているミレニアル世代の睡眠パターンに関するものであることができ、プロセッサ３０などの装置２０は、ユーザーが日々満喫する平均睡眠量に関係するユーザーの健康データ１２を識別することができる。代替的には、記事１０は、記事のコンテキストとの相関の結果としての識別対象のユーザーの運動パターンに関係するユーザーの健康データ１２と、運動不足によって悪化する疾患または他の身体条件とを関係づけることができる。
【００４０】
プロセッサ３０などの装置２０は、記事の識別に応答して記事１０の健康関連情報と結び付けられるユーザーの健康データ１２を識別するように構成されることができる。ただし、一例示的実施形態においては、記事１０自体は、例えば、その記事と共に提示するためにユーザーの健康データ１２および／または経験的データ１４にアクセスすべきであることの標示を含むことができる。一実施形態においては、標示は、アプリケーション・プログラミング・インターフェース（ＡＰＩ）などの命令の形をとることができる。この例示的実施形態においては、ひとたび記事１０が識別された時点で、プロセッサ３０などの装置２０は、記事内部に含まれた命令を実行するように構成されることができ、こうして今度は、ユーザーの健康データ１２が識別されることになる。例えば、命令の実行は、それ自体、記事１０の健康関連情報に関係のあるユーザーの健康データ１２を識別するＡＰＩコールを創出することができる。付加的または代替的には、図７に示されているように、記事１０は、ユーザーの健康データ１２および／または経験的データ１４をアクセスすべきであることの標示として役立つ、メタデータ・タグなどのタグ６０を含むことができる。したがって、プロセッサ３０などの装置２０は、タグ６０を認識することができ、それ自体、タグにより識別されたロケーションにおいて記事１０内に提示されるべきユーザーの健康データ１２および／または経験的データ１４を識別することができる。ＡＰＩコールおよびメタデータ・タグ６０が本明細書において説明されているものの、記事１０は、記事中で提示されるべきユーザーの健康データ１２および／または経験的データ１４をプロセッサ３０などの装置２０に識別させる他の形態の標示を含むことができる。
【００４１】
上述のように、ユーザーのバイオメトリック・データなどの健康データ１２を、さまざまな方法で提供することができ、例えば、メモリ３２内またはデータベース２２内に記憶することができる。ただし、例示的実施形態において、装置２０は、ユーザーが装着する健康データ収集デバイス２４からユーザーの健康データ１２を受信するための、プロセッサ３０、ユーザー・インターフェース３４、通信インターフェース３６などの手段を含む。図６のブロック５０を参照のこと。この例示的実施形態において、装置２０は同様に、ブロック５２に示されているように、ユーザーの健康データ１２を記憶させるためのプロセッサ３０、メモリ３２などの手段をも含む。したがって、この例示的実施形態のプロセッサ３０などの装置２０は、健康データ収集デバイス２４から受信されるユーザーの健康データを精査することによって、記事１０の健康関連情報と結び付けられるユーザーの健康データ１２を識別する。
【００４２】
一例示的実施形態の装置２０は同様に、ユーザーの健康データ１２で記事１０を補足するためのプロセッサ３０などの手段をも含む。図６のブロック４４を参照のこと。ユーザーの健康データ１２での記事１０の補足に関連して、健康データ自体を記事内に取り込み、次に記事と結び付けて提供、例えば、提示することができる。代替的には、記事内でまたは記事と結び付けて健康データまたは健康データを特徴付ける表現を提供することなどによって、記事１０を補足するために、健康データ１２の一表現を提供することができる。図１に示されているように、例えば、記事１０の健康関連情報と関係のあるユーザーの健康データ１２を記事内部に含めるかまたは埋込むことができる。記事１０を補足する健康データ１２は、ユーザーの平均夜間睡眠を例示する図１の棒グラフなど、数値、テキストまたは図形によるものを含めたさまざまな方法で提示されることができる。記事１０をユーザーの健康データ１２で補足するために、一例示的実施形態の装置２０は、そうでなければ記事により提供される任意のコンテンツを、削除または置換すること、部分的に置換すること、全体的に置換すること、別のウィンドウ内で提供することまたはそれらの任意の組合せを行なうこと無く、健康データを挿入するスペースを記事の中に創出するための、プロセッサ３０などの手段を含む。図１に示されているように、例えば、ユーザーの健康データ１２の図形的表現を挿入するスペース１６を記事１０の中に創出して、記事のコンテンツのいずれかを置換せずに再位置づけすることができる。
【００４３】
一例示的実施形態の装置２０は同様に、ユーザーの健康データ１２で補足された記事１０をユーザーに対して提供させるための、プロセッサ３０、ユーザー・インターフェース３４などの手段をも含む。図６のブロック４８を参照のこと。この点に関して、記事のコンテンツとユーザーの関係のある健康データ１２の両方をユーザーが容易に精査できるようにするやり方で、ユーザー・インターフェースなどを介して表示するための記事１０を提供することができる。例えば、図１および２を参照のこと。したがって、記事１０は、こうして伝えられた健康関連情報に関連する教育的恩恵をユーザーに対して提供することができる。記事１０の健康関連情報に関係のあるユーザーの実際の健康データ１２を含めることにより、記事に対するユーザーの関心を増強させることができ、ユーザーは、他の形で記事により関連する意味合いで記述されている健康関連情報に対するコンテキストの中で自身の健康データを見ることができる可能性がある。その後、ユーザーは、より多くの情報を得ることができ、いくつかの事例においては、例えば、ユーザーの健康データが記事１０により提供された健康関連情報が定義する規格または推奨される挙動を満たすことができない事例において、ユーザーの健康データ１２が関係する健康問題に対処するための挙動上のまたは他のライフスタイルに関係する変更を行なうことができる。
【００４４】
記事１０の健康関連情報に関連する追加の情報をユーザーに対し提供するために、例示的実施形態の装置２０は同様に、記事の健康関連情報と結び付けられる経験的データ１４により記事を追加で補足するための、プロセッサ３０などの手段を含む。図６のブロック４６を参照のこと。経験的データ１４は、記事１０の健康関連情報に関連する多様なデータのいずれかであることができる。しかしながら、一例示的実施形態において、経験的データ１４は、ユーザーの健康データ１２と同じタイプであるもののより大きな母集団から収集されたデータである。例えば、記事１０が糖尿病に関するものであり、ユーザーの健康データ１２がユーザーの血中グルコース値に関するものである事例においては、経験的データ１４も同様に、より大きな母集団の標本から収集され、例えば、平均などの集合の形で提示される血中グルコース値に関するものであることができる。記事１０が平均睡眠量に関するものであり、ユーザーの健康データ１２がユーザーの平均睡眠量に関するものである別の実施例として、経験的データ１４は同様に、母集団のより大きな標本についての平均睡眠量に関するものであることができる。
【００４５】
経験的データ１４は、さまざまな方法で得ることができる。例えば、経験的データ１４は、記事１０から、プロセッサ３０などによって得ることができる。代替的には、経験的データ１０は、データベース２２、例えば、政府データベース、ピア・レビュー・データベース、プライベート・データベース、例えば、ヘルスケア・プロバイダまたは保険会社が維持しているデータベースまたは図６に示されている他の経験的データ・リポジトリ２２ｂなどのデータベース２２から得ることができる。健康データ１２の場合と同様、経験的データ１４は、数値、テキストまたは図形によるものを含めたさまざまなやり方で提示されることができる。記事１０が経験的データ１４によっても補足される一例示的実施形態においては、プロセッサ３０などの装置２０は、ユーザーの健康データと記事内の経験的データの間の比較を提供することにより、ユーザーの健康データ１２および経験的データにより記事を補足するように構成されることができる。図１に示されているように、記事１０は、棒グラフなどの図形により提示されるユーザー１２の健康データおよび経験的データ１４の両方で補足されることができる。記事１０、ユーザーの健康データ１２および経験的データ１４の精査に基づいて、ユーザーは、記事の健康関連情報により提供されるコンテキストの観点から見て、および記事を補足する経験的データに関してといったように、より良いコンテキストの中で自身の健康データを見ることができる可能性がある。したがって、ユーザーは、コンテキスト内のユーザーの健康データのユーザーによる精査に基づいて、健康データ１２が関わる健康問題に対処するために前に進みながらより多くの情報に基づく選択を行なうことができる。
【００４６】
一例示的実施形態の装置２０、方法およびコンピュータ・プログラム・プロダクトは、多くの技術的利点を提供する。例えば、例示的実施形態の装置２０、方法およびコンピュータ・プログラム・プロダクトは、記事のコンテキストを識別し、次に、ユーザーに対し統合された形で提示するために、ユーザーに文脈的に関連性の高い健康データ１２および／または経験的データ１４を効率的に識別する。記事１０のコンテキストを識別し、次にユーザーに文脈的に関連性の高い健康データ１２および／または経験的データ１４を効率的に識別することにより、例示的実施形態の装置２０、方法およびコンピュータ・プログラム・プロダクトは、ユーザーが読む記事に関係のある経験的データおよび／またはユーザーの健康データを識別しようとしてユーザーが生成する検索に対する応答性を有するシステムに特に関連して、プロセッシング・リソースを保存し電力消費を削減する一方で、ユーザーに対して有用な情報を提供する。
【００４７】
上述のように、図６は、本イノベーションの例示的実施形態に係る装置２０、方法およびコンピュータ・プログラム・プロダクトの流れ図を例示する。流れ図の各ブロックおよび流れ図内の複数のブロックの組合せを、１つ以上のコンピュータ・プログラム命令を含むソフトウェアの実行と結び付けられたハードウェア、ファームウェア、プロセッサ、回路および／または他のデバイスなどのさまざまな手段により実装することができるということが理解される。例えば、上述のプロシージャのうちの１つ以上を、コンピュータ・プログラム命令により具体化することができる。この点に関して、上述のプロシージャを具体化するコンピュータ・プログラム命令は、本イノベーションの実施形態を利用する装置２０のメモリ・デバイス３２によって記憶され、装置のプロセッサ３０により実行されることができる。ここで認識されるように、このようなコンピュータ・プログラム命令はいずれも、結果として得られるコンピュータまたは他のプログラマブル装置が流れ図のブロック内に規定されている機能を実装するように、マシンを生成するためにコンピュータまたは他のプログラマブル装置（例えば、ハードウェア）上にロードされることができる。これらのコンピュータ・プログラム命令は同様に、特別なやり方で機能するようにコンピュータまたは他のプログラマブル装置に指示を与えることのできるコンピュータ可読メモリ中に記憶されることもでき、こうして実行時点で流れ図のブロック内に規定された機能を実装させることになる製造物品を、コンピュータ可読メモリ内に記憶された命令が生成するようになっている。コンピュータ・プログラム命令は同様に、コンピュータまたは他のプログラマブル装置上で実行する命令が流れ図のブロック内に規定されている機能を実装するための動作を提供するように、コンピュータにより実装されるプロセスを生成するため、コンピュータまたは他のプログラマブル装置上で一連の動作を行なわせる目的で、コンピュータまたは他のプログラマブル装置上にロードされることもできる。
【００４８】
したがって、流れ図のブロックは、規定された機能を行なうための手段の組合せおよび規定された機能を行なうための動作の組合せをサポートする。同様に、規定された機能を行なう特殊用途のハードウェアベースのコンピュータ・システムまたは特殊用途のハードウェアおよびコンピュータ命令の組合せによって、流れ図内の１つ以上のブロックおよび流れ図内のブロックの組合せを実装できるということも理解される。
【００４９】
いくつかの実施形態においては、上述の動作のいくつかを修正またはさらに増幅することができる。さらに、いくつかの実施形態においては、追加の任意の動作を含めることができる。上述の動作に対する修正、追加または増幅は、任意の順序および任意の組合せで行なうことができる。
【００５０】
当業者であれば、本明細書中に記載のイノベーションが関連し、上に記載した、明細書および付随する図面の中で提示された教示の利益を有するような、これらのイノベーションの多くの修正および他の実施形態を着想することができる。したがって、これらのイノベーションは開示された具体的実施形態に限定されるべきでなく、また、修正および他の実施形態が、添付クレームの範囲内に含めるように意図されていることを理解すべきである。さらに、本願明細書および付随する図面は、いくつかの例示的な要素および／または機能の組合せで例示的実施形態を説明しているが、添付クレームの範囲から逸脱することなく、修正した実施形態により要素および／または機能の異なる組合せを提供することができるということを認識すべきである。この点に関して、例えば、上で明示的に説明されたものと異なる要素および／または機能の組合せも同様に、添付クレームのいくつかの中に明記され得るものとして考えられている。特定の用語が本明細書において使用されているが、これらは、包括的かつ記述的意味合いでのみ使用され、限定を目的として使用されるものではない。
【図１】
2018060536.tif 000003
【図２】
2018060536.tif 000004
【図３】
2018060536.tif 000005
【図４】
2018060536.tif 000006
【図５】
2018060536.tif 000007
【図６】
2018060536.tif 000008
【図７】
2018060536.tif 000009
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
健康関連情報を提供する記事を識別するステップと、
前記記事の前記健康関連情報に結び付けられたユーザーの健康データを識別するステップと、
前記ユーザーの前記健康データにより前記記事を補足するステップと、
前記記事の健康関連情報の中で前記ユーザーの前記健康データの表現を介して、前記ユーザーの前記健康データが補足された前記記事を前記ユーザーに提供されるようにするステップと、
を含む方法。
【請求項２】
健康データを識別するステップは、前記記事のコンテキストを少なくとも部分的に規定する前記記事と結び付けられたデータに基づいて前記ユーザーの健康データを識別するステップを含む、請求項１に記載の方法。
【請求項３】
前記記事に結び付けられた前記データは、前記記事と結び付けられたメタデータを含む、請求項２に記載の方法。
【請求項４】
前記記事と結び付けられたデータに基づいて前記ユーザーの健康データを識別するステップは、前記記事のコンテキストを少なくとも部分的に規定する前記記事内のデータを識別するため前記記事を削り取るステップを含む、請求項２に記載の方法。
【請求項５】
健康データを識別するステップは、前記記事内に含まれる命令の実行に応答して前記ユーザーの前記健康データを識別するステップを含む、請求項１ないし４のいずれか１項に記載の方法。
【請求項６】
前記ユーザーが装着するデバイスから前記ユーザーの健康データを受信するステップと、
前記ユーザーの前記健康データを格納させるステップと、
をさらに含む、請求項１ないし５のいずれか１項に記載の方法。
【請求項７】
前記記事の前記健康関連情報に結び付けられた経験的データにより前記記事を追加的に補足するステップをさらに含む、請求項１ないし６のいずれか１項に記載の方法。
【請求項８】
前記ユーザーの前記健康データおよび経験的データにより前記記事を補足するステップは、前記ユーザーの前記健康データと前記記事内の前記経験的データの間の比較を提供するステップを含む、請求項７に記載の方法。
【請求項９】
前記記事から前記経験的データを得るステップをさらに含む、請求項７に記載の方法。
【請求項１０】
記事を識別するステップは、前記ユーザーの健康問題を検出するために前記ユーザーの前記健康データを解析するステップと、
前記記事が前記健康問題に関連性の高い健康関連情報を提供するように、前記ユーザーの前記健康問題に基づいて前記記事を識別するステップと、
を含む、請求項１ないし９のいずれか１項に記載の方法。
【請求項１１】
前記ユーザーの前記健康データにより前記記事を補足するステップは、前記記事に結び付けられたいかなるコンテンツも削除することなく前記健康データが挿入されるスペースを前記記事の中に作成するステップを含む、請求項１ないし１０のいずれか１項に記載の方法。
【請求項１２】
少なくとも１つのプロセッサと、コンピュータ・プログラム・コードを含む少なくとも１つのメモリとを備える装置であって、
前記少なくとも１つのメモリおよび前記コンピュータ・プログラム・コードは、
前記プロセッサを用いて、前記装置に、少なくとも、
健康関連情報を提供する記事を識別し、
前記記事の前記健康関連情報に結び付けられたユーザーの健康データを識別し、
前記記事を前記ユーザーの前記健康データにより補足し、
前記記事の健康関連情報の中で前記ユーザーの前記健康データの表現を介して、前記ユーザーの前記健康データが補足された前記記事を前記ユーザーに提供されるようにすることを、
させるように構成されている、装置。
【請求項１３】
前記少なくとも１つのメモリおよび前記コンピュータ・プログラム・コードは、さらに、請求項１ないし１１のいずれか１項に記載の方法を前記装置に実行させるように構成されている、請求項１２に記載の装置。
【請求項１４】
コンピュータ実行可能プログラム・コード命令を備えるコンピュータ・プログラムであって、前記コンピュータ実行可能プログラム・コード命令は、
少なくとも、健康関連情報を提供する記事を識別し、
前記記事の前記健康関連情報に結び付けられたユーザーの健康データを識別し、
前記記事を前記ユーザーの前記健康データにより補足し、
前記記事の健康関連情報の中で前記ユーザーの前記健康データの表現を介して、前記ユーザーの前記健康データが補足された前記記事を前記ユーザーに提供されるようにする、プログラム・コード命令を含む、
コンピュータ・プログラム。
【請求項１５】
前記コンピュータ実行可能プログラム・コード命令はさらに、請求項１ないし１１のいずれか１項に記載の方法を行なうプログラム・コード命令を含む、請求項１４に記載のコンピュータ・プログラム。
【外国語明細書】
2018060536000001.pdf